(57)【要約】【課題】  外力が作用しなくなった時点の形状を維持して当該外力の作用前の元の形状には戻らないという器械力塑性を有する合成樹脂製の芯体を入れた新規の肩パット及び当該肩パット用芯を提供する。【解決手段】  上側外層不織布シートと下側外層不織布シートをアームホールに沿う側の縁辺において縫い合わせて二つ折りにすると共にその間に中層不織布シートを挟入した肩パット本体に、器械力塑性を有する合成樹脂材料製の芯体からなる肩パット用芯を入れたものであり、この肩パット用芯は、肩線に沿って曲がる個所に備えられる肩側芯部とアームホールに沿って湾曲する個所に備えられるアームホール側芯部からなり、肩側芯部の外端個所はアームホール側芯部の中間位置に固定されたものである。【選択図】        図１
0003116409.tif 000002
【実用新案登録請求の範囲】
【請求項１】
肩パット本体の形状保持を要する個所に、器械力塑性を有する合成樹脂材料製の芯体を備えたことを特徴とする肩パット。
【請求項２】
上記芯体が、布テープに織編された状態で備えられたことを特徴とする請求項１記載の肩パット。
【請求項３】
上記芯体が、薄板状であることを特徴とする請求項１記載の肩パット。
【請求項４】
上記芯体が、肩パット本体の形状保持を要する個所の一部若しくは全部を覆う大きさのメッシュ状に形成されたことを特徴とする請求項１記載の肩パット。
【請求項５】
上記芯体が、アームホールに沿って湾曲する個所及び肩線に沿って曲がる個所の両方若しくは片方に備えられたことを特徴とする請求項１〜３いずれか１つに記載の肩パット。
【請求項６】
肩線に沿って曲がる個所に備えられた肩側芯部の外端位置がアームホールに沿って湾曲する個所に備えられたアームホール側芯部の中間位置に固定されたことを特徴とする請求項５記載の肩パット。
【請求項７】
アームホール側芯部と肩側芯部を形成する全体が一体に構成にされたことを特徴とする請求項５記載の肩パット。
【請求項８】
肩パットの形状保持を要する個所に用いるものであって、器械力塑性を有する合成樹脂材料製であることを特徴とする肩パット用芯。
【請求項９】
上記芯体が細線状に形成され、布テープに織編されたものであることを特徴とする請求項８記載の肩パット用芯。
【請求項１０】
上記芯体が細幅薄板状にされたものであることを特徴とする請求項８記載の肩パット用芯。
【請求項１１】
上記芯体が、肩パット本体の形状保持を要する個所の一部若しくは全部を覆う大きさのメッシュ状に形成されたことを特徴とする請求項８記載の肩パット用芯。
【請求項１２】
肩線に沿って曲がる個所に備えられる肩側芯部とアームホールに沿って湾曲する個所に備えられるアームホール側芯部からなり、肩側芯部の外端個所がアームホール側芯部の中間位置に固定されたことを特徴とする請求項８記載の肩パット用芯。
【請求項１３】
肩側芯部とアームホール側芯部とを有し、全体が一体に構成にされたことを特徴とする請求項８記載の肩パット用芯。
【考案の詳細な説明】
【技術分野】
【０００１】  本考案は、スーツ、コート、ブラウス等衣料の両肩部に使用される肩パット及び当該肩パット用芯に関する。具体的には、外力が作用しなくなった時点の形状を維持して当該外力の作用前の元の形状には戻らないという器械力塑性を有する合成樹脂製の芯体を入れた肩パット及び当該肩パット用芯に関する。【０００２】  なお、本文中、「器械力塑性」とは、人力（じんりき）や、単純で小規模な道具を介して受けた外力を取り去っても歪（ひずみ）が残って変形したままの状態を保持する性質、すなわち外力が作用しなくなった時点の形状を維持して、当該外力の作用前の元の形状には戻らない性質をいい、例えば針金や特殊の合成樹脂材料が有しているような、手指の力で９０度曲げてから手放したときの戻り角が３０度以下好ましくは１５度以下であるというような性質をいう。
【背景技術】
【０００３】  従来、厚み或いは大きさの異なる不織布シート（繊維シート）等の数点を積層し、ニドリング或いは粉末接着剤又はこれらの併用によりこれらを一体化し、立体的に加熱加圧成形したり、或いは裁断片に切り込みを入れたり、マチを入れて立体的に縫合したりした後、加熱加圧成形を施して完成した肩パットや、綿を布帛でくるんで構成された肩パットなどが各種存在している。そして、これら肩パットは、不織布シート（繊維シート）の厚みや詰め綿の膨らみで、上衣肩部の形状を整えていた。【０００４】  しかしながら、これら従来の肩パットは、初期段階では所望の形状を呈するが、輸送中あるいは収納中に押さえつけられた状態で長期間放置されると、実際の使用時に当初の形状に戻らない状態に往々になり易いという致命的な問題ががある。このため、これを用いた衣料は、たとえば、店頭ディスプレイにおいて高級感を損ない、また、収納後取り出して着用する場合、型くずれの感を免れないのみならず、着用或いは洗濯を繰り返し、又は長期間重ねて保存したような場合は、初期の形状が徐々に変化し、ひどい時には折り癖がついて初期の形状に戻らず、所謂形くずれの状態になる欠点があった。【０００５】  このような欠点を防ぐために、パット自体の厚みを増やしたり、硬度が高く変形の少ない素材を用いたパットにすると、特異な形態のファッションスタイルとなったり、輸送中に嵩張って一定容積に収納し得る上衣の数量が減ってしまうという問題が生ずていた。【０００６】  そこで、これらの欠点を解決するものとして、肩パット内に形状記憶合金芯を入れた肩パットが（特許文献１）及び（特許文献２）に開示されている。【０００７】  しかしながら、これら形状記憶合金芯入り肩パットは、形状記憶合金が一種の金属で繊維とは異質のものであり、不織布シート物にはなじみが悪いのみならず金属線材であるために、その先端を曲げる等により処理されてはいるが、着用中或いは保管中にその先端等が突き出る可能性があった。また入れた部分の全てが同じ硬さの形状であるため、身体の動きに順応する部分が存在せず、繊維と金属との併用でその反発性も異なり、着用時に異物感を感じる。また製造段階で形状を記憶させたメーカー製作のものを使用するため、着用者個人が自身の肩の形にマッチする形状あるいは希望する任意の形状にすることできなかった。さらには形状記憶合金は高価であり、経済的負担も見逃せない。【０００８】  また、金属線材を芯として用いた場合には、軽量化が難しいという問題や、錆が発生し易いという問題、金属探知器による検査で反応するという問題等がある上、廃棄時の焼却処理において残灰が生じるという問題があった。又、近年は、これらが用済み後に廃棄するときには、分別収集し難いという問題もある。
【特許文献１】特許第２９７８９５１号公報
【特許文献１】特開平８−８１８１２号公報
【考案の開示】
【考案が解決しようとする課題】
【０００９】  本考案は、上記のような諸問題点を一挙に解消する新規の肩パット及び当該肩パット用芯を提供することを目的とする。
【課題を解決するための手段】  上記目的を達成するために、請求項１に係る肩パットは、肩パット本体の形状保持を要する個所に、器械力塑性を有する合成樹脂材料製の芯体を備えたことを特徴とする。【００１０】  したがって、請求項１に係る肩パットは、たとえば、輸送中あるいは収納中に押さえつけられた状態で長期間放置されたために実際の使用時に当初の形状に戻らない状態になってしまった場合や、着用或いは洗濯を繰り返し又は長期間重ねて保存したために初期の形状が変化し、折り癖がついて初期の形状に戻らず、形くずれの状態になってしまった場合には、器械力塑性を有する合成樹脂材料製の芯体に手指による曲げ操作又は戻し操作を適宜に加えて肩パット自体の形を所望の形に整えることにより容易に初期の形状に戻すことができる。すなわち、形くずれや折り癖の修正及び折り線の消去等が手指だけで簡単且つ素早く行うことができる顕著な利点がある。【００１１】  また、上記利点から、修正作業等が困難でない状況若しくは許容される状況であれば、意識的に一旦嵩張らない潰した状態若しくは平らに伸ばして積み重ねた状態又は二つ折りにした状態等にして梱包することが可能になるので、梱包の小型化、輸送費等の低減化に好適であるのみならず家庭等にあっては折り癖等を気にせずより小さく畳むことが可能になるので、箪笥内等収納スペースの節約ができて好都合である。【００１２】  さらには、店頭ディスプレイにおいて高級感を出したい、消費者の購買意欲を喚起させたい等の場合には、上記のように手指で自由に且つ小まめに変形修正して対応できる。【００１３】  また、上記請求項１に係る肩パットは、芯体が合成樹脂材料製であるので、軽量化ができ、発錆の危惧を回避できるのみならず、分別せずに焼却することができる。また、金属探知器による検査では検知されない。【００１４】  請求項２に係る肩パットは、請求項１記載の肩パットにあって、上記芯体が布テープに織編された状態で備えられたことを特徴とする。【００１５】  したがって、この請求項２に係る肩パットによれば、請求項１の発明の効果に加え、芯体が上記のように布テープに織編されているから、衣服のアームホールの縁や肩線個所への縫着が容易にでき、針の折損で失敗するなどの事態を回避できる。【００１６】  請求項３に係る肩パットは、請求項１記載の肩パットに関し、上記芯体が薄板状であることを特徴とする。【００１７】  したがって、請求項３に係る肩パットによれば、請求項１の発明の効果と同様の効果を得ることができる。【００１８】  請求項４に係る肩パットは、請求項１記載の肩パットにあって、上記芯体が肩パット本体の形状保持を要する個所の一部若しくは全部を覆う大きさのメッシュ状に形成されたことを特徴とする。【００１９】  したがって、請求項４に係る肩パットによれば、請求項１の発明の効果に加え、通気性がよい芯体が容易に提供できる。【００２０】  請求項５に係る肩パットは、請求項１〜３いずれか１つに記載の肩パットに関し、上記芯体がアームホールに沿って湾曲する個所及び肩線に沿って曲がる個所の両方若しくは片方に備えられたことを特徴とする。【００２１】  したがって、請求項５に係る肩パットによれば、請求項１の発明���効果と同様の効果を得ることができる。【００２２】  請求項６に係る肩パットは、請求項５記載の肩パットに関し、肩線に沿って曲がる個所に備えられた肩側芯部の外端位置がアームホールに沿って湾曲する個所に備えられたアームホール側芯部の中間位置に固定されたことを特徴とする。【００２３】  したがって、請求項６に係る肩パットによれば、請求項１の発明の効果に加え、低コストで使い勝手がよい「Ｔ」の字形状の芯体が容易に提供できる。【００２４】  請求項７に係る肩パットは、請求項５記載の肩パットに関し、アームホール側芯部と肩側芯部を形成する全体が一体に構成にされたことを特徴とする。【００２５】  したがって、請求項７に係る肩パットによれば、請求項１の発明の効果に加え、低コストで使い勝手がよい「Ｔ」の字形状の芯体が容易に提供できる。【００２６】  請求項８に係る肩パット用芯は、肩パットの形状保持を要する個所に用いるものであって、器械力塑性を有する合成樹脂材料製であることを特徴とする。【００２７】  したがって、請求項８に係る肩パット用芯によれば、請求項１の発明の効果を発揮する肩パットの提供を可能にする。【００２８】  請求項９に係る肩パット用芯は、請求項８に係る肩パット用芯にあって、上記芯体が細線状に形成され、布テープに織編されたものであることを特徴とする。【００２９】  したがって、この請求項９に係る肩パット用芯によれば、請求項８の発明の効果に加え、芯体が上記のように布テープに織編されているから、取り扱いが容易で、衣服のアームホールの縁や肩線個所への縫着が容易にでき、針の折損で失敗するなどの事態を回避できる。【００３０】  請求項１０に係る肩パット用芯は、請求項８に係る肩パット用芯にあって、上記芯体が薄板状にされたものであることを特徴とする。【００３１】  したがって、請求項１０に係る肩パット用芯によれば、請求項８の発明の効果と同様の効果を得ることができる。【００３２】  請求項１１に係る肩パット用芯は、請求項９に係る肩パット用芯にあって、肩線に沿って曲がる個所に備えられる肩側芯部とアームホールに沿って湾曲する個所に備えられるアームホール側芯部からなり、肩側芯部の外端個所がアームホール側芯部の中間位置に固定されたことを特徴とする。【００３３】  したがって、請求項１１に係る肩パット用芯によれば、請求項８の発明の効果に加え、使い勝手がよい「Ｔ」の字形状の芯体が容易に提供できる。【００３４】  請求項１２に係る肩パット用芯は、請求項８に係る肩パット用芯にあって、肩側芯部とアームホール側芯部とを有し、全体が一体に構成にされたことを特徴とする。【００３５】  したがって、請求項１２に係る肩パット用芯によれば、請求項８の発明の効果に加え、使い勝手がよい「Ｔ」の字形状の芯体が容易に提供できる。【００３６】  請求項１３に係る肩パット用芯は、肩パット本体の形状保持を要する個所を覆う大きさのメッシュ状に形成されたことを特徴とする。【００３７】  したがって、請求項１３に係る肩パット用芯によれば、請求項８の発明の効果に加え、通気性がよい芯体が容易に提供できる。
【考案の効果】
【００３８】  本考案によれば、形くずれや折り癖の修正及び折り線の消去等が手指だけで簡単且つ素早く行うことができ、梱包の小型化、輸送費等の低減化に好適であり、また家庭等にあっては箪笥内等収納スペースの節約ができて好都合である。また店頭ディスプレイにおいて高級感を出したい、消費者の購買意欲を喚起させたい等の場合には、上記のように手指で自由に且つ小まめに変形修正して対応できる。しかも、芯体が合成樹脂材料製であるので、軽量化ができ、発錆の危惧を回避できるのみならず分別せずに焼却することができる利点がある。また、金属探知器による検査では検知されない。さらには、衣服のアームホールの縁や肩線個所への縫着が容易にでき、針の折損で失敗するなどの事態を回避できる。また、低コストで使い勝手がよい肩パット及び芯体が容易に提供できる。
【考案を実施するための最良の形態】
【００３９】  本考案の第１実施の形態に係る肩パット１を図１〜図４に基づいて説明する。なお、図１は左肩用パットを平らにした状態で示す平面図であり、図２は同じく側面図であり、図３は図１Ａ−Ａ線に沿う断面図であり、図４は肩パット用芯を示す斜視図である。なお、図１において示す仮想線は、手指のより整形した一状態を示すものである。【００４０】  この第１実施の形態に係る肩パット１は、上側外層不織布シート２と下側外層不織布シート３をアームホールに沿う側の縁辺で縫い合わせて二つ折りにし、その間に中層不織布シート４を挟入することにより肩パット本体５を構成すると共に当該肩パット本体５に後述する肩パット用芯６を入れたものである。【００４１】  上記肩パット本体５は、短繊維からなる複数のシート状物からなる物であればよく、適度な毛羽を有するものが好ましい。このシート状物としては具体的には不織布シートあるいは綿等の短繊維ウエブが使用できる。【００４２】  また、上記肩パット本体５は、上側外層不織布シート２と下側外層不織布シート３と中層不織布シート４は、ニドリング或いは粉末接着剤又はこれらの併用により一体化してある。この場合、加熱加圧により立体的に成形してもよく、また図１に示すように平らな状態に仕上げ、後にすなわち衣服への取付時あるいは取付後等の使用の適宜段階で立体的に整形するようにしてもよい。この適宜段階で立体的に整形するようにした場合には、加熱加圧加工を省略することが可能になるので製造工程の簡略化、生産性の向上、コストの低減化、省力化等ができる。【００４３】  上記肩パット用芯６は、肩線に沿って曲がる個所に備えられる肩側芯部７とアームホールに沿って湾曲する個所に備えられるアームホール側芯部８からなり、肩側芯部７の外端個所がアームホール側芯部８の中間位置に縫着により固定されたものである。【００４４】  上記肩側芯部７及びアームホール側芯部８は、繊維製の経糸９及び繊維製の緯糸１０を用い、器械力塑性を有する合成樹脂材料からなる多数本の線条芯体１１を経糸方向に所定の距離（間隔）をおいて織り込むことにより構成された布テープ１２を所定の長さに切ったものである。【００４５】  ここでは５本の線条芯体１１を用いている例を図示したが何等これのみに限定されるものではなく、線条芯体の太さや、線条芯体の材質の種類等によって異なる。一般に太い線条芯体を用いるほどその使用割合は少なくてもよく、また、剛性の大きい線条芯体ほどその使用割合は少なくてもよいという傾向にある。【００４６】  上記線条芯体１１は、一般的には単線にするが、要求される強度などに合わせて、複数の線材からなる撚線を用いることができる。また、線条芯体は、保護被膜を被せた複合体であってもよく、この場合には線条芯体の遊動が抑えられて好ましい。【００４７】  この複合体系の線条芯体は、線条芯体と保護被膜が同一のポリオレフィンで構成されていてもよく、保護被膜を他のポリマーで構成してもよく、又はこれら線条芯体、保護被膜の組み合わせからなる複合延伸物によって構成されていてもよい。さらに、好ましくは線条芯体は、ポリエチレン又は当該ポリエチレンと他のポリオレフィンとの混合物又はエチレン単独重合体又はエチレン・α−オレフィン共重合体からなり、保護被膜は、熱可塑性樹脂を実質的主成分とした材料からなる構成にすることができる。【００４８】  また、線条芯体単独は、その断面形状が円形、長円形、楕円、矩形、星形、その他の形状若しくは表面に突起が点在して設けられたもであってもよい。また、太さは用途により適宜選択できるが、通常は断面積が０．５〜５ｍｍ２であることが望ましい。勿論、それ以上若しくは以下であってもよい。【００４９】  布テープ１０の組織は、平織り、綾織、朱子織、絡み織、平編み、ガータ編み、レース編みなどや、ＪＩＳ  Ｌ  ０２０６及びＪＩＳ  Ｌ  ０２０２に記載される織編法によるものが挙げられる。また経糸９、緯糸１０には、天然繊維、合成繊維、半合成繊維及び再生繊維などの有機高分子化合物の繊維などから選ばれた繊維を用いることができる。【００５０】  上記天然繊維としては、綿、絹、麻、羊毛などを例示することができる。また上記半合成繊維は、有機天然高分子化合物の誘導体よりなる繊維であって、アセテート人絹を代表例として挙げることができる。【００５１】  上記合成繊維としては、ポリオレフィン、ポリエステル、ポリアミド、ポリアクリロニトリル、ポリビニルアセタール（ビニロン）、ポリ塩化ビニル、ポリ塩化ビニリデン、ポリウレタン、ポリエステルエラストマーなどの繊維を例示することができる。【００５２】  上記ポリオレフィンの繊維としては、エチレン、プロピレン、１−ブテン、１−ペンテン、１−ヘキセン、１−オクテン、１−デセン、４−メチル−１−ペンテンなど炭素数２〜１４程度のオレフィンの単独重合体、又はこれらオレフィン同士の共重合体、オレフィンと少割合の極性モノマーの共重合体などの繊維を挙げることができる。これらの中では、プロピレンの単独重合体又はプロピレンと１０重量％以下のエチレンとのランダム共重合体であるポリプロピレンの使用が、軽量で耐薬品性に優れているところから好ましい。【００５３】  上記ポリエステルの繊維として具体的には、強度、剛性等が優れた芳香族ポリエステルや生分解性に優れた脂肪族ポリエステルの繊維を例示することができる。芳香族ポリエステルとして、具体的にはポリエチレンテレフタレート、ポリトリメチレンテレフタレート、ポリテトラメチレンテレフタレートなどを挙げることができる。また、脂肪族ポリエステルとしては、マロン酸、こはく酸、グルタル酸、アジピン酸、セバシン酸、ドデカン酸、りんご酸、酒石酸、クエン酸などの多価カルボン酸などとエチレングリコール、プロピレングリコール、ブタンジオール、ヘキサンジオール、グリセリン、トリメチロールプロパンなどの多価アルコールとの重縮合物、ラクチドやカプロラクトンなどの開環重合物、乳酸、ヒドロキシ酪酸、ヒドロキシ吉草酸などのヒドロキシ酸の重縮合物などを例示することができる。これらの中では、乳酸の単独重合体あるいは乳酸を主成分とする共重合ポリエステルから選ばれるポリ乳酸を挙げることができる。【００５４】  上記ポリアミドの繊維としては、具体的には、ナイロン６、ナイロン６６、ナイロン１１、ナイロン１２、ナイロン６／６６などの繊維を例示することができる。【００５５】  上記ポリアクリロニトリル繊維としては、アク���ロニトリルの単独重合体あるいはアクリロニトリルと他の極性ビニルモノマー、例えばアクリル酸メチル、酢酸ビニル、塩化ビニル、塩化ビニリデン、アクリルアミド、ビニルピリジンなどとの共重合体の繊維を例示することができる。【００５６】  さらに、上記再生繊維としては、ビスコースレーヨンや銅アンモニアレーヨンなどのレーヨンを例示することができる。【００５７】  また、器械力塑性を有する合成樹脂材料からなる線条芯体１１の素材としては、ポリエチレン、当該ポリエチレンと他のポリオレフィンとの混合物、エチレン単独重合体、エチレン・α−オレフィン共重合体から選択した合成樹脂製素材が使用できる。なお、ポリエチレンは、高密度ポリエチレン、汎用ポリエチレンのどちらでもよい。また、線条芯体１１には生分解樹脂材料を使用できる。【００５８】  たとえば、上記ポリエチレンは、延伸されると、引張応力に比例して弾性変形し、それに応じて伸びが増大し降伏点を越えたところで引張応力は一旦低下したのち、塑性変形性を発現し始める。降伏点以降は、延びが一旦低下したのち、内部歪みの極限に達して徐々に延び、遂には白化して破断する。【００５９】  このポリエチレンの白化は、各種無機充填材を添加することにより誘発され、これによって剪断破壊を誘発し、器械力塑性を容易にする。【００６０】  切断寸前まで延伸した糸は、完全に白化され、極めて優れた器械力塑性を示す。従って、同じ太さの延伸糸でも、太い原糸から作ったものの方が細い原糸から作ったものよりも器械力塑性は優れている。あまり細い原糸を最大限の延伸比で延伸、白化させても延伸糸が細過ぎる場合には、腰が弱く、ワイヤー（金属線）のような物性すなわち器械力塑性は発現できない。【００６１】  上記線条芯体の器械力塑性は、９０度曲げによる戻り角が３０度以下であるが、当該戻り角が２０度以下であるものが好ましく、１５度以下であるものがより好ましい。【００６２】  上記無機充填材としては、ガラス繊維、タルク、マイカ、炭酸カルシュウム、水酸化マグネシュウム、アルミナ、酸化亜鉛、酸化マグネシュウム、水酸化アルミニウム、シリカアルミナ、酸化チタン、酸化カルシュウム、珪酸カルシュウム、塩基性炭酸マグネシュウム、炭素繊維、カーボンブラック等を用いることができる。【００６３】  尚、本発明に係る布テープの幅は、テープ素材繊維の種類などによって異なる。特に限定するものではないが、通常５〜３０ｍｍ程度のものが用いられる。【００６４】  次いで、本考案の第２実施の形態に係る肩パット１４を図５に基づいて説明する。なお、図５は左肩用パットを示す一部を拡大した一部切截斜視図である。【００６５】  この第２実施の形態に係る肩パット１４は、上記第１実施の形態において説明したと同様の肩パット本体５に後述する別異の肩パット用芯１５を入れたものである。【００６６】  上記肩パット用芯１５は、肩線に沿って曲がる個所に備えられる肩側芯部１６とアームホールに沿って湾曲する個所に備えられるアームホール側芯部１７からなり、肩側芯部１６の外端個所がアームホール側芯部１７の中間位置に溶着により固定されたものである。【００６７】  上記肩側芯部１６及びアームホール側芯部１７は、上記した器械力��性を有する合成樹脂材料からなる細幅薄板１８を所定の長さに切って構成されたものである。【００６８】  次いで、本考案の第３実施の形態に係る肩パット１９を図６に基づいて説明する。なお、図６は左肩用パットを示す一部を拡大した一部切截斜視図である。【００６９】  この第３実施の形態に係る肩パット１９は、上記第１実施の形態において説明したと同様の肩パット本体５に後述する別異の肩パット用芯２０を入れたものである。【００７０】  上記肩パット用芯２０は、上記した器械力塑性を有する合成樹脂材料からなる薄板２１を「Ｔ」の字形状にカットしたものであり、肩線に沿って曲がる個所に備えられる肩側芯部２２とアームホールに沿って湾曲する個所に備えられるアームホール側芯部２３を一体に構成したものである。【００７１】  さらに、本考案の第４実施の形態に係る肩パット２４を図７に基づいて説明する。なお、図７は左肩用パットを示す一部切截平面図である。【００７２】  この第４実施の形態に係る肩パット２４は、上記第１実施の形態において説明したと同様の肩パット本体５に後述する肩パット用芯２５を入れたものである。【００７３】  上記肩パット用芯２５は、上記した器械力塑性を有する合成樹脂材料からなる多数本の上記線条芯体２６を編んで肩パット本体５の形状保持を要する個所の略全体を覆う大きさのメッシュ状に形成されたものである。【００７４】  以上、図に示す実施の形態について説明したが、本考案は、上記実施の形態に限定されるものでなく、実用新案登録請求の範囲に記載された考案の精神を逸脱しない範囲において、種々の態様で実施することが可能であり、そして本願はこれ等実施されたものにも及ぶものである。
【図面の簡単な説明】
【００７５】
【図１】第１実施の形態に係る左肩用パットを示す平面図である。
【図２】同じく左側面図である。
【図３】図１Ａ−Ａ線に沿う断面図である。
【図４】肩パット用芯を示す一部切截斜視図である。
【図５】第２実施の形態に係る左肩用パットを示す一部を拡大した一部切截斜視図である。
【図６】第３実施の形態に係る左肩用パットを示す一部を拡大した一部切截斜視図である。
【図７】第４実施の形態に係る左肩用パットを示す一部切截平面図である。
【符号の説明】
【００７６】  １  第１実施の形態に係る肩パット
２  上側外層不織布シート
３  下側外層不織布シート
４  中層不織布シート
５  肩パット本体
６  肩パット用芯
７  肩側芯部
８  アームホール側芯部
９  経糸
１０  緯糸
１１  線条芯体
１２  布テープ
１４  第２実施の形態に係る肩パット
１５  肩パット用芯
１６  肩側芯部
１７  アームホール側芯部
１８  細幅薄板
１９  第３実施の形態に係る肩パット
２０  肩パット用芯
２１  薄板
２２  肩側芯部
２３  アームホール側芯部
２４  第４実施の形態に係る肩パット
２５  肩パット用芯
２６  線条芯体
【図１】
0003116409.tif 000003
【図２】
0003116409.tif 000004
【図３】
0003116409.tif 000005
【図４】
0003116409.tif 000006
【図５】
0003116409.tif 000007
【図６】
0003116409.tif 000008
【図７】
0003116409.tif 000009